(57)【要約】      （修正有）【課題】バッテリーポストに取り付ける汎用のバッテリー端子を上方から縦方向の回転操作で締結できるバッテリー端子の固定構造の提供。【解決手段】ボルト７と螺合される締結具１０が、ケース１１と、ケース１１の内部に上方から縦方向に挿入され、上方に位置する操作頭部１２ａでケース内部の軸部１２ｂが回転操作される回転操作棒１２と、回転操作棒１２の軸部の外周に設けられるウオームギア部１２ｗと噛み合って９０度角度変換されて横方向の中心軸線を中心として回転されるウオームホイール１３を備え、ウオームホイール１３の中心穴１３ｈの内周面または中心穴１３ｈに貫通固定したネジ筒２０の内周面にボルト７のネジ軸７ａの外周ネジ７ｎと螺合する内周ネジが設けられ、回転操作棒１２の上方へ突出した操作頭部１２ａの回転操作でウオームホイール１３の横向き中心軸線に沿ってボルト７が移動してボルト７の締結が行われる、バッテリー端子の固定構造。【選択図】図２
2017174684.tif 000002
【特許請求の範囲】
【請求項１】
バッテリーポストに外嵌する円弧枠の両端から突設する一対の締付片が横方向から挿入されるボルトで締結されるバッテリー端子と、前記ボルトと螺合されるナットの代替となる締結具を備え、
前記締結具は、
ケースと、
該ケースの内部に上方から縦方向に挿入され、上方に位置する操作頭部でケース内部の軸部が回転操作される回転操作棒と、
前記ケース内部に配置される前記回転操作棒の軸部の外周に設けられるウオームギア部と噛み合って９０度角度変換されて横方向の中心軸線を中心として回転されるウオームホイールを備え、
前記ウオームホイールの中心穴の内周面または該中心穴に貫通固定したネジ筒の内周面に、前記ボルトのネジ軸の外周ネジと螺合する内周ネジが設けられ、
前記回転操作棒の上方へ突出した操作頭部の回転操作で前記ウオームホイールの横向き中心軸線に沿って前記ボルトが移動してボルトの締結が行われる構造とされているバッテリー端子の固定構造。
【請求項２】
前記締結具は、前記ウオームホイールの中心穴に貫通固定する前記ネジ筒の一端は前記ケースの側壁に設けられる軸受部で支承される一方、該ネジ筒の他端は前記バッテリー端子の締付片に設けられるボルト穴に挿入支持される請求項１に記載のバッテリー端子の固定構造。
【請求項３】
前記締結具は、前記ウオームホイールを回転自在に保持する保持枠が前記ケースの側壁内面から突設され、該保持枠の突出端側の開口から前記回転操作棒のウオームギア部と噛み合わせる前記ウオームホイールの外周ギア部を突出させると共に、該ウオームホイールの中心穴の内周面に前記ボルトの外周ネジと螺合する内周ネジが設けられている請求項１に記載のバッテリー端子の固定構造。
【発明の詳細な説明】
【技術分野】
【０００１】
本発明は、バッテリーポストにボルト締結するバッテリー端子の固定構造に関し、特に、バッテリー端子のボルト締めが横方向から困難である場合に縦方向の上方から行えるようにするものである。
【背景技術】
【０００２】
自動車に搭載されるバッテリーは、図６（Ａ）に示すように、バッテリー１００の上面に突設されているバッテリーポスト１０１にバッテリー端子１１０の円弧枠１１１を外嵌した後、円弧枠１１１の両端に突設した一対の締付片１１２と１１３に設けたボルト穴にボルト１２０を挿入しナット１２２に締結して、締付片１１２と１１３とを近接させて円弧枠１１１をバッテリーポスト１０１に締め付けて接続している。該バッテリー端子１１０は円弧枠１１１にワイヤハーネスの電線との接続部１１４を延在して設けている。
【０００３】
前記バッテリーポスト１０１は上向きに突設しているため、バッテリー端子１１０の円弧枠１１１は水平方向に被せられ、該円弧枠１１１から突設する締付片１１２と１１３とは横方向に並び、ボルト１２０は水平方向として締付片１１２と１１３に穿設されているボルト穴に一方の締付片１１２から挿入し、他方の締付片１１３の外面に位置させるナット１２２にネジ締め固定している。（特開２０１５−８８２６２号公報等参照）
【０００４】
図６（Ｂ）に示すように、ボルト１２０のネジ締めはネジ締め工具（インパクトレンチ）１５０を用いて行われ、汎用されているネジ締め工具１５０は基端の把持部から先端まで真っすぐに伸長するＩ型である。ボルト１２０を横方向から回転させる場合、ネジ締め工具も横方向に配置する必要がある。
しかしながら、バッテリー１００の側方に他部品１７０が搭載され、その間のスペースＳが狭く、ネジ締め工具１５０を横方向に入れることが出来ない問題が生じる。自動車のエンジンルームにバッテリーが搭載される場合、エンジンルーム内には多くの部品が搭載されるため、バッテリーと他部品との間の横方向のスペースが狭くなっている。この場合、特殊なＬ型としたネジ締め工具を用いる場合があるが、該特殊な工具はコスト高になり、常設されているものではないため、利用しにくい問題がある。
【０００５】
前記問題に対して、特開２００６−１９０５６６号公報で図７に示す上方からネジ締めできる特殊な構造とした縦締め専用のバッテリー端子２００が提供されている。
該縦締め専用のバッテリー端子２００は、バッテリーポストに外嵌する円弧枠２０１の両端からコ字形状の締付片２０２と２０３を突設し、一方の締付片２０２の外面にナット２１０を固定すると共に、該ナット２１０と螺合するボルト２２０も特殊な形状とされ、ボルト２２０をナット２１０と螺合させてから締付片２０２と２０３のボルト穴に通して横方向に予め取り付けている。他方の締付片２０３内に突出するボルト２２０にはフランジ２２０ａとウオームホイール部２２０ｂを設け、該ウオームホイール部２２０ｂと噛み合うウオーム部２３０ａを備えた回転体２３０を締付片２０３に縦方向に取り付けている。該回転体２３０は締付片２０３の上下枠２０３ａと２０３ｂの内面にそれぞれ配置するスラスト軸受２３１と２３２とで回転自在に支持して、上枠２０３ａの軸穴を通して操作頭部２３０ｂを上方へ突出させている。
【０００６】
前記バッテリー端子２００では、縦方向の操作頭部２３０ｂを回転すると、ウオーム部２３０ａとウオームホイール部２２０ｂとのウオームギアのかみ合いでボルト２２０が回転して横方向に移動し、締結時には図中左方向に移動して、フランジ２２０ａを締付片２０３の縦枠２０３ｃに当接させている。
【先行技術文献】
【特許文献】
【０００７】
【特許文献１】特開２０１５−８８２６２号公報
【特許文献２】特開２００６−１９０５６６号公報
【発明の概要】
【発明が解決しようとする課題】
【０００８】
前記図７に示すバッテリー端子２００は、縦方向の上方からバッテリーポストに締結固定する専用の構造とされており、横方向からバッテリー端子を締結固定する場合には使用できない。かつ、使用されるボルト２２０も軸部の途中にフランジ部とウオームホイール部を有する特殊な形状であり、かつ、ウオーム部を有する回転体２３０を用いる必要がある。さらに、締付片２０３をコ字状として上下枠に回転体２３０を支持するスラスト軸受を設ける必要があり、特殊形状の部品が多く、部品点数も増加して、コスト的に実用化に不適である。
【０００９】
本発明は、汎用されているバッテリー端子を用いながら、該バッテリー端子の締結に用いる横方向のボルトを横方向から締め付け操作できない場合に、縦方向の上方からの操作でボルトを横方向に移動させてバッテリー端子をバッテリーポストに固定できるバッテリー端子の固定構造を提供することを課題としている。
【課題を解決するための手段】
【００１０】
前記課題を解決するため、本発明は、バッテリーポストに外嵌する円弧枠の両端から突設する一対の締付片が横方向から挿入されるボルトで締結されるバッテリー端子と、前記ボルトと螺合されるナットの代替となる締結具を備え、
前記締結具は、
ケースと、
該ケースの内部に上方から縦方向に挿入され、上方に位置する操作頭部でケース内部の軸部が回転操作される回転操作棒と、
前記ケース内部に配置される前記回転操作棒の軸部の外周に設けられるウオームギア部と噛み合って９０度角度変換されて横方向の中心軸線を中心として回転されるウオームホイールを備え、
前記ウオームホイールの中心穴の内周面または該中心穴に貫通固定したネジ筒の内周面に、前記ボルトのネジ軸の外周ネジと螺合する内周ネジが設けられ、
前記回転操作棒の上方へ突出した操作頭部の回転操作で前記ウオームホイールの横向き中心軸線に沿って前記ボルトが移動してボルトの締結が行われる構造とされているバッテリー端子の固定構造を提供している。
【００１１】
前記縦方向の回転操作棒の回転操作は、汎用されているネジ締め工具（Ｉ型のインパクトレンチ）を上方へ突出している操作頭部にセットし、バッテリーに上方から縦方向に配置して行われる。これにより、バッテリーポストの横方向に工具配置スペースが無い場合に汎用のネジ締め工具を用いてバッテリー端子をバッテリーポストに締結することができる。かつ、特殊なＬ型のネジ締め工具を必要としないため、該Ｌ型のネジ締め工具を用意しておく必要がなく、コストダウンを図ることができる。
【００１２】
さらに、縦方向にネジ締めされる前記締結具が横方向でネジ締めするナットの代替品として用いられるだけで、バッテリー端子およびボルトは横方向でネジ締めされる汎用品が用いられ、ナットを締結具に変えるだけでよく、コストアップしない。
【００１３】
前記ナット代替品となる締結具のケースは、前記バッテリー端子の一方の締付片の外面に押し当てる側を開口としたボックス形状とされ、該ケースの上壁に設けられた穴に前記回転操作棒の軸部を回転自在に通す一方、
前記ケース内部に位置させる回転操作棒の軸部の外周面に設けたウオームギア部を前記ウオームホイールと噛み合わせ、該ウオームホイールを所定位置で回転させることにより、噛み合っているウオームギア部を設けた回転操作棒が上下移動するものとしている。
【００１４】
前記締結具は、前記ウオームホイールの中心穴に貫通固定する前記ネジ筒の一端が前記ケースの側壁に設けられる軸受部で支承される一方、該ネジ筒の他端は前記バッテリー端子の締付片に設けられるボルト穴に挿入支持されている。
【００１５】
前記のようにウオームホイールの中心穴に貫通固定するネジ筒の両端を軸受け支持する構成とすると、該締結具をバッテリー端子の一方の締付片の所要位置に簡単確実にセットすることができる。
【００１６】
あるいは、前記締結具は、前記ウオームホイールを回転自在に保持する保持枠が前記ケースの側壁内面から突設され、該保持枠の突出端側の開口から前記回転操作棒のウオームギア部と噛み合わせる前記ウオームホイールの外周ギア部を突出させると共に、該ウオームホイールの中心穴の内周面に前記ボルトの外周ネジと螺合する内周ネジが設けられている。
該構成とすると、ウオームホイールの中心穴に貫通固定するネジ筒を不要とでき、部品点数の削減を図ることができる。
【発明の効果】
【００１７】
前述したように、本発明に係わるバッテリーポストへのバッテリー端子の固定構造では、ボルトを横方向から治具で回転操作できない場合に、汎用されているバッテリー端子とボルトを用い、かつ、汎用のネジ締め工具を用い、ナットを本発明の締結具に代えるだけで上方から汎用の工具を縦方向に配置して、横方向に差し込むボルトを締結することができる。
【図面の簡単な説明】
【００１８】
【図１】本発明の第１実施形態を示す平面図である。
【図２】第１実施形態で用いる締結具の構成部品を示す斜視図である。
【図３】前記締結具を示し、（Ａ）は縦断面図、（Ｂ）はウオームホイールの拡大側面図、（Ｃ）はウオームホイールとネジ筒の固定状態を示す断面図である。
【図４】前記締結具を用いたバッテリー端子の締結状態を示す断面図である。
【図５】締結具の第２実施形態を示し、（Ａ）は縦断面図、（Ｂ）は要部拡大側面図、（Ｃ）は（Ｂ）の矢視図である。
【図６】（Ａ）は従来の汎用例を示す斜視図、（Ｂ）は（Ａ）の問題点を示す概略図である。
【図７】（Ａ）（Ｂ）（Ｃ）は他の従来例を示す図面である。
【発明を実施するための形態】
【００１９】
以下、本発明の実施形態を図面を参照して詳述する。
図１乃至図４に第１実施形態を示す。
第１実施形態のバッテリー端子１が取り付けられるバッテリーは自動車のエンジンルームに搭載され、該バッテリーの上面に突設されている円錐台形状のバッテリーポスト１０１にバッテリー端子１が取り付けられる。バッテリーポスト１０１に取り付けて接続するバッテリー端子１は前記図６の従来例に示すバッテリー端子１１０と同じ汎用のバッテリー端子からなる。
【００２０】
即ち、該汎用のバッテリー端子１は導電性金属を所要形状に打ち抜いた後に折り曲げて形成されているもので、バッテリーポスト１０１に外嵌する円弧枠２と、円弧枠２の分割端から突出する締付片３、４と、円弧枠２の中央部に延在する接続端子片５を備えている。締付片３、４には横方向から挿入するボルト７を通すボルト穴３ｈ、４ｈが設けられている。また、接続端子片５の中央に電線端末に接続されるボルト締め端子のボルト穴あるいはバスバーに穿設されるボルト穴に挿入して締結するボルト６が上向きに溶接固定されている。
【００２１】
バッテリー端子１の締付片３、４は横方向に並設され、バッテリー端子１の円弧枠２をバッテリーポスト１０１に締結固定する時は、ボルト７を横向きとして、ネジ軸７ａを締付片３のボルト穴３ｈから通し、締付片４のボルト穴４ｈから突出するネジ軸７ａの先端側をナットまたは締結具１０に螺合して、締付片３、４を近接させて円弧枠２をバッテリーポスト１０１の外周に締め付けて固定するものである。
【００２２】
バッテリー端子１の締付片３のボルト穴３ｈと締付片４のボルト穴４ｈに横向きとして通すボルト７と螺合する締結具１０は、ボルト７の頭部７ｂにネジ締め工具（インパクトレンチ）１５０を横方向に配置してボルト７を回転操作できるスペースが無い場合に用いられ、スペースがある場合は図６に示す従来例と同様に汎用のナット１２２が用いられる。
【００２３】
ネジ締め工具を横向きに配置して回転操作できない場合、ナットに代えて締付片４の外面に図２乃至図４に示す締結具１０をセットし、後述する縦方向に配置する回転操作棒１２を上方から回転操作して、横向き挿入するボルト７を移動させて締付片３、４を近接移動させてバッテリー端子１の円弧枠２をバッテリーポスト１０１に外嵌固定している。
【００２４】
ナットの代替品となる前記締結具１０は、図３（Ａ）に示すように、一辺に開口１１ａを有する四角筒状のケース１１を備え、該ケース１１の上壁１１ｂに設けた穴１１ｈよりケース１１の内部に縦方向の回転操作棒１２を挿入配置している。該回転操作棒１２は下降時にケースの上壁１１ｂの上面に当接する操作頭部１２ａを備え、該操作頭部１２ａはボルト７の六角形状の頭部７ｂと同形状の六角形状としている。それにより、汎用のＩ型のネジ締め工具（インパクトレンチ）を嵌合して用いることが出来るようにしている。ケース１１の内部に突出する回転操作棒１２の軸部１２ｂの外周面に上下方向に螺旋状に形成したウオームギア部１２ｗを設けている。
【００２５】
回転操作棒１２の軸部１２ｂのウオームギア部１２ｗに噛み合う円環形状のウオームホイール１３をケース１１の内部に中心軸線１３ｘを水平方向の横向きとして配置している。
【００２６】
図３（Ｂ）（Ｃ）に示すように、円環形状のウオームホイール１３の中心穴１３ｈにネジ筒２０を圧入して貫通させ、該ネジ筒２０の外周面を中心穴１３ｈの内周面に圧接固定し、ウオームホイール１３が回転するとネジ筒２０が連動して共回転するようにしている。ネジ筒２０の内周面にボルト７のネジ軸７ａの外周ネジ７ｎと螺合する内周ネジ２０ｎを設けている。
【００２７】
ウオームホイール１３の中心穴１３ｈから一方側に突出するネジ筒２０の一方突出部２０ａをケース１１の側壁１１ｃに設けた軸受穴１１ｅに回転自在に挿通して位置決め支持している。中心穴１３ｈから他方へ突出するネジ筒２０の他方突出部２０ｂはケース１１の先端の開口１１ａを囲む側壁より外方に突出させている。この他方突出部２０ｂは、締結具１０をバッテリー端子１に取り付ける際に、バッテリー端子１の締付片４に設けられているボルト穴４ｈに先端部分２０ｂｅを挿入して軸受けされるようにしている。このようにネジ筒２０をボルト穴４ｈに挿入した状態で、ケース１１の開口１１ａを囲む側壁の周縁が締付片４の外面に当接されるようにしている。
【００２８】
このように締結具１０をネジ筒２０を介して締付片４に取り付けると、ネジ筒２０で支持されたウオームホイール１３の中心軸線１３ｘが水平方向横向きのボルト７の挿入方向と一致する設定としている。
【００２９】
ケース１１内の前記所要位置に保持されるウオームホイール１３の外周面の外周ギア部１３ａは回転操作棒１２のウオームギア部１２ｗと噛み合わされている。これにより、回転操作棒１２の操作頭部１２ａが回転すると、ウオームギア部１２ｗとウオームホイール１３の外周ギア部１３ａとの噛み合いで回転方向が９０度変換され、ウオームホイール１３および該ウオームホイール１３に固定しているネジ筒２０は横向きの中心軸線１３ｘを回転支軸として定位置で回転される一方、回転操作棒１２は下降されることになる。
【００３０】
前記ウオームホイール１３と一体的に回転するネジ筒２０にボルト７のネジ軸７ａが挿入され、ネジ軸７ａの外周ネジ７ｎとネジ筒２０の内周ネジ２０ｎが螺合し、ネジ筒２０が回転すると、ボルト７は横方向へ移動される。
【００３１】
前記のように、ナット代替品とする締結具１０は、ケース１１に回転自在に取り付けている回転操作棒１２と、該回転操作棒１２のウオームギア部１２ｗに外周ギア部１３ａを噛み合わせるウオームホイール１３と、該ウオームホイール１３の中心穴に貫通固定しているネジ筒２０を備えた簡単な構成としている。
【００３２】
前記締結具１０を用いる際は、図３（Ａ）に示すように、バッテリー端子１の締付片４の外面に配置し、締付片４のボルト穴４ｈに締結具１０のネジ筒２０の先端を挿入固定する。その後、他方の締付片３の外面からボルト穴３ｈに横方向にボルト７のネジ軸７ａを差し込み、締付片４のボルト穴４ｈ内に挿入しているネジ筒２０に先端を挿入して螺合させ、締付片４を最大にゆるめた状態でボルト７と締結具１０とをバッテリー端子１に仮止めしている。
【００３３】
前記仮止め状態では、締結具１０に組みつけている回転操作棒１２のウオームギア部１２ｗの下端がウオームホイール１３と噛み合い、該回転操作棒１２の上端の操作頭部１２ａは最上位に位置している。かつ、ボルト７の外周ネジ７ｎの先端をウオームホイール１３内のネジ筒２０の内周ネジ２０ｎに螺合させているが、ボルト７の頭部７ｂは締付片３の外面から最大離れた位置に保持されている。これにより、締付片３と締付片４との間の寸法は最大とし、締付片３と４とは開き、円弧枠２をバッテリーポスト１０１に無理なく上方から被せることが出来るようにしている。
【００３４】
前記のように、バッテリー端子１にボルト７と締結具１０とを仮止めした状態で、図１に示すようにバッテリー端子１の円弧枠２をバッテリーポスト１０１に被せた後、締結具１０の上方へ突出している回転操作棒１２の六角形の操作頭部１２ａに汎用のＩ型のネジ締め工具（インパクトレンチ１５０）をセットして回転操作棒１２を回転する。
【００３５】
回転操作棒１２を回転すると、そのウオームギア部１２ｗを噛み合わせているウオームホイール１３が９０度変換して回転され、該ウオームホイール１３の回転で、図４に示すように、回転操作棒１２は下降していく。かつ、ウオームホイール１３の回転でネジ筒２０が一体となって回転し、内部に螺合しているボルト７のネジ軸７ａを回転させて、ボルト７を図中右方向に移動させる。ボルト７の頭部７ｂが締付片３に当接すると、ネジ軸７ａの更なる移動で締付片３は締付片４側に近接移動され、円弧枠２は環状に閉鎖する方向へ移動され、バッテリーポスト１０１の外周に締結する。
【００３６】
なお、バッテリー端子１の円弧枠２をバッテリーポスト１０１に外嵌するまで、ボルト７と締結具１０とをバッテリー端子１に仮止めしない場合は、バッテリーポスト１０１に円弧枠２を被せたのち、締付片４のボルト穴４ｈに締結具１０のネジ筒２０の先端を挿入して、締結具１０を締付片４に取り付ける。ついで、ボルト７のネジ軸７ａを締付片３のボルト穴３ｈ、ネジ筒２０に挿入し、該ボルト７のネジ軸７ａの先端をネジ筒２０に螺合する。この作業は作業員が行い、その後は前記と同様に、締結具１０の上方へ突出する回転操作棒１２の操作頭部１２ａにネジ締め工具を取り付けて、ネジ締め作業を行えばよい。
【００３７】
前記ネジ締め工具による操作前に行うボルト７のネジ軸７ａの先端を締結具１０に螺合する作業は、通常の横入れするボルト７のネジ軸７ａの先端をナットと螺合する手作業と同様な作業であり、バッテリーと隣接して設置する部品との隙間が狭い場合にも作業可能である。寸法の長いネジ締め工具は狭いスペースに挿入出来ないが、該ネジ締め工具で上方から縦方向に回転操作棒１２を回転させるため、この通常のネジ締め工具を用いてバッテリー端子のバッテリーポストへの締結を行うことができる。
【００３８】
かつ、汎用のバッテリー端子１にボルト７を横方向に通して、横入れするネジ締め工具でボルト７を回転操作できる時には、締結具１０に代えて汎用のナットを用いることができる。このように、バッテリー端子の形状およびボルトは変更せず、汎用のバッテリー端子およびボルトを用いることができるようにし、ナットだけを締結具１０に代えて用いるため、コストをアップさせずに、本発明を適用することができる。
【００３９】
図５に第２実施形態を示す。
第２実施形態で用いる締結具１０−Ｂは、第１実施形態で用いるネジ筒２０を用いていない。即ち、ネジ筒でウオームホイール１３をケース１１内の所定位置に位置決め保持する代わりに、ケース１１の側壁１１ｋの内面から突出した保持枠１４でウオームホイール１３を回転自在に支持し、該ウオームホイール１３の中心穴１３ｈの内周面にボルト７の外周ネジ７ｎと螺合する内周ネジ１３ｎを設けている。
【００４０】
ケース１１内に側壁１１ｋから突設する保持枠１４は円弧状の左右保持板１４ａと１４ｂと、該保持板１４ａと１４ｂの外周縁を連結する連結板１４ｃとからなり、突出端側に開口１４ｆを備えている。該開口１４ｆからウオームホイール１３の一側部を外方へ突出させ、該ウオームホイール１３の外周面に設けている外周ギア部１３ａを回転操作棒１２のウオームギア部１２ｗと噛み合わせている。このように、ウオームホイール１３は噛み合わせ部分を除いて保持枠１４内に回転自在に保持している。これにより、回転操作棒１２の操作頭部１２ａを回転すると、ウオームギア部１２ｗとウオームホイール１３の外周ギア部１３ａの噛み合いで回転方向が９０度変換されてウオームホイール１３は横向きの中心軸線１３ｘを回転支軸として定位置で回転され、回転操作棒１２は下降される。
【００４１】
前記保持枠１４の左右保持板１４ａと１４ｂには、図５（Ｃ）に示すように、ウオームホイール１３の中心穴１３ｈと対向する位置にボルト用の挿通穴１４ａｈ、１４ｂｈを設け、ボルト７のネジ軸７ａが保持枠の挿通穴１４ａｈを通してウオームホイール１３の中心穴１３ｈ内を内周ネジ１３ｎと外周ネジ７ｎとを螺合させて挿通し、ウオームホイール１３を貫通するネジ軸７ａが保持枠１４ｂの挿通穴１４ｂｈを通って出られるようにしている。
【００４２】
前記締結具１０ーＢを用いる際は、バッテリー端子１の締付片４の外面に配置し、他方の締付片３の外面からボルト穴３ｈ、４ｈを通して横方向に差し込むボルト７のネジ軸７ａの先端を保持枠１４の挿通穴１４ａｈを通してウオームホイール１３の中心穴１３ｈに差し込み、その内周ネジ１３ｎをネジ軸７ａの外周ネジ７ｎに螺合させ、締付片４に最大にゆるめた状態でボルト７と締結具１０とを仮止めしている。
【００４３】
前記仮止め状態で、締結具１０ーＢに組みつけている回転操作棒１２のウオームギア部１２ｗの下端をウオームホイール１３と噛み合わせて、上端の操作頭部１２ａを最上位に位置させている。かつ、ボルト７の外周ネジ７ｎの先端をウオームホイール１３の内周ネジ１３ｎに螺合させて、ボルト７の頭部７ｂを締付片３の外面から最大離れた寸法に位置させている。これにより、締付片３と４との間の寸法を最大とし、円弧枠２をバッテリーポスト１０１に無理なく上方から被せることが出来るようにしている。
【００４４】
第１実施形態と同様に、バッテリー端子１にボルト７と締結具１０−Ｂとを仮止めした状態で、バッテリーポスト１０１にバッテリー端子１の円弧枠２を被せた後、締結具１０−Ｂの上方へ突出している回転操作棒１２の操作頭部１２ａに汎用のネジ締め工具（インパクトレンチ）１５０をセットして回転操作棒１２を回転する。
【００４５】
回転操作棒１２が回転すると、そのウオームギア部１２ｗが噛み合っているウオームホイール１３を９０度変換して回転させ、かつ、ウオームホイール１３の回転で回転操作棒１２が下降していく。同時に、ウオームギア１３の回転で、その中心穴１３ｈに螺合しているボルト７のネジ軸７ａが回転してボルト７が移動し、締付片同士を近接移動し、円弧枠を環状に閉鎖する方向へ移動させてバッテリーポストの外周に締結する。
【００４６】
本発明は前記実施形態に限定されず、本発明の要旨を逸脱しない範囲において他の用途にも利用することができる。
【符号の説明】
【００４７】
１  バッテリー端子
２  円弧枠
３、４  締付片
３ｈ、４ｈ  ボルト穴
７  ボルト
７ａ  ネジ軸
１０  締結具
１１  ケース
１２  回転操作棒
１２ｗ  ウオームギア部
１３  ウオームホイール
１３ａ  外周ギア部
１３ｈ  中心穴  
１３ｎ  内周ネジ
１４  保持枠
２０  ネジ筒
２０ｎ  内周ネジ
１００  バッテリー  
１０１  バッテリーポスト
【図１】
2017174684.tif 000003
【図２】
2017174684.tif 000004
【図３】
2017174684.tif 000005
【図４】
2017174684.tif 000006
【図５】
2017174684.tif 000007
【図６】
2017174684.tif 000008
【図７】
2017174684.tif 000009